(57)【要約】【課題】球詰まりの解消と保守作業の容易とを図る。【解決手段】払出機構３の払出構造体４がタンク構造体２の外側からタンク構造体２の内部に挿入され、払出機構３の容器がタンク構造体２に止ねじ７で取り付けられ、払出構造体４がタンク構造体２の球から受ける球圧の方向と払出構造体４が球をタンク構造体２から払出機構３に向けて移動する方向とが同じ方向となるように、払出モータ１３が払出構造体４を一方向に駆動し、球を賞球通路１２８または抜球通路１２９に案内する切替弁８８が払出機構３の払出軸７７の軸心と直交する方向に往復回転運動する。【選択図】図１
2007175316.tif 000002
【特許請求の範囲】
【請求項１】
払出機構の払出構造体、払出構造体を駆動する払出モータ、払出構造体から払い出される球を検出する払出球検出器、払出モータや払出球検出器からなる電気部品を配線する中継基板が、払出機構の機構躯体と検出構造体とからなる容器の内部に格納され、払出構造体の容器から突出する螺旋体の部分がタンク構造体の払出収容部にタンク構造体の外側から挿入され、払出機構の容器がタンク構造体の外側に取り付けられ、払出構造体がタンク構造体の球から受ける球圧の方向と払出構造体が球をタンク構造体から払出機構に向けて移動する方向とが同じ方向となるように、払出モータが払出構造体を一方向に駆動し、切替機構が容器の内部に格納され、切替機構は、払出機構から払い出される球を賞球として誘導する賞球通路と、払出機構から払い出される球を抜球として誘導する抜球通路と払出機構から払い出される球を賞球通路または抜球通路に案内する切替弁とを備え、切替弁が払出機構の払出軸の軸心と直交する方向に往復回転運動することを特徴とする遊技機の球払出装置。
【請求項２】
払出機構がタンク構造体に固定されることによって、払出構造体の螺旋体が払出機構の球を払い出す通路からタンク構造体の方向に配置されたことを特徴とする請求項１記載の遊技機の球払出装置。
【発明の詳細な説明】
【技術分野】
【０００１】
本発明は、球詰まりの解消と保守作業の容易とが図れる遊技機の球払出装置に関する。
【背景技術】
【０００２】
遊技機の球払出装置には、次の構造を有するものが知られている。それは、払出機構がタンク構造体の下部に設けられ、払出機構の払出モータが螺旋状の払出構造体を周方向に回転するように一方向に駆動することによって、払出構造体がタンク構造体から球を１個ずつ分離して払出球検出器の側に払い出している。しかしながら、払出構造体が球から受ける球圧の方向と球を払出球検出器の側に移動する方向とが逆の方向になっているので、払出構造体に負担がかかり過ぎ、球詰まりを発生しやすいという欠点がある。そして、球詰まりが発生した場合、払出構造体や払出モータをタンク構造体から取り外し、詰まった球を払出機構の内部から除去しなければならず、詰まった球を払出機構の内部から除去する保守作業が面倒であるという欠点がある。
【特許文献１】特開平８−１０４１５号公報
【発明の開示】
【発明が解決しようとする課題】
【０００３】
発明が解決しようとする問題点は、球詰まりを発生しやすいうえ、球詰まりを発生した場合の保守作業が面倒であるという点である。
【課題を解決するための手段】
【０００４】
本発明に係る遊技機の球払出装置は、払出機構の払出構造体、払出構造体を駆動する払出モータ、払出構造体から払い出される球を検出する払出球検出器、払出モータや払出球検出器からなる電気部品を配線する中継基板が、払出機構の機構躯体と検出構造体とからなる容器の内部に格納され、払出構造体の容器から突出する螺旋体の部分がタンク構造体の払出収容部にタンク構造体の外側から挿入され、払出機構の容器がタンク構造体の外側に取り付けられ、払出構造体がタンク構造体の球から受ける球圧の方向と払出構造体が球をタンク構造体から払出機構に向けて移動する方向とが同じ方向となるように、払出モータが払出構造体を一方向に駆動し、切替構造体が容器の内部に格納され、切替構造体は、払出機構から払い出される球を賞球として誘導する賞球通路と、払出機構から払い出される球を抜球として誘導する抜球通路と払出機構から払い出される球を賞球通路または抜球通路に案内する切替弁とを備え、切替弁が払出機構の払出軸の軸心と直交する方向に往復回転運動することを最も主要な特徴とする。払出機構がタンク構造体に固定されることによって、払出構造体の螺旋体が払出機構の球を払い出す通路からタンク構造体の方向に配置されてもよい。
【発明の効果】
【０００５】
本発明に係る遊技機の球払出装置は、払出機構の払出構造体がタンク構造体の外側からタンク構造体の内部に挿入され、払出機構の容器がタンク構造体に止ねじで取り付けられることによって構成され、払出構造体がタンク構造体の球から受ける球圧の方向と払出構造体が球をタンク構造体から払出機構に向けて移動する方向とが同じ方向となるように、払出モータが払出構造体を一方向に駆動するので、払出構造体が円滑に回転し、球詰まりを発生しにくく、タンク構造体から球を円滑に払い出すことができるうえ、作業者が止ねじを球払出装置から取り外した後、作業者が払出構造体のタンク構造体への挿入方向と逆方向に払出機構を引き出すことによって、払出機構がタンク構造体から取り外されるので、球払出装置の内部から球や異物を除去する保守作業が容易であるという利点がある。しかも、切替構造体が容器の内部に格納され、切替構造体は、払出機構から払い出される球を賞球として誘導する賞球通路と、払出機構から払い出される球を抜球として誘導する抜球通路と払出機構から払い出される球を賞球通路または抜球通路に案内する切替弁とを備え、切替弁が払出機構の払出軸の軸心と直交する方向に往復回転運動することによって、切替弁を動かす切替駆動源が払出軸よりも上方で払出軸の真上に設けられ、装置を小形化することができるという利点がある。払出機構がタンク構造体に固定されることによって、払出構造体の螺旋体が払出機構の球を払い出す通路からタンク構造体の方向に配置されれば、螺旋体によってタンク構造体から払出機構の内部に運搬された球は、螺旋体から離れて自重落下するので、その部分で、球詰まりが発生することを阻止することができるという利点がある。
【発明を実施するための最良の形態】
【０００６】
図１乃至図９のａ図は、発明を実施するための最良の形態である。図１は、タンク構造体２と払出機構３とが分解された遊技機の球払出装置１を示す。図２は、タンク構造体２と払出機構３とが互いに組み合わせられかつ中継樋３１が分解された遊技機の球払出装置１を示す。図３は、払出構造体４、機構躯体６、払出モータ１３、中継基板４１を分解して示す。図４は、切替機構８５の右側を分解して示す。図５のａ図は、支持構造体１１９の開放された切替機構８５の右側を示す。図５のｂ図は、図５のａ図の状態における切替機構８５を縦方向に切断した断面を示す。図６は、切替機構８５の左側を分解して示す。図７のａ図は、切替機構８５の右側面を示す。図７のｂ図は、切替機構８５の左側面を示す。図８は、球Ｐ２が賞球通路１２８または抜球通路１２９に払い出される過程の断面を示す。図９のａ図は、球払出装置１を備えたパチンコ遊技機の裏面を示す。本明細書において、「前」、「後」、「裏」、「左」、「右」、「上」、「下」の方向は、図１の状態に球払出装置１を置いて矢印Ａで示す前側から見た場合に特定される方向である。「後」と「裏」とは同じ方向である。
【０００７】
図１を参照し、遊技機の球払出装置１の構造について説明する。球払出装置１は、タンク構造体２および払出機構３を備える。そして、払出機構３の払出構造体４がタンク構造体２の右外側からタンク構造体２の内部に挿入され、払出機構３の払出球検出器５がタンク構造体２の下部に配置され、払出機構３の機構躯体６がタンク構造体２の右側面に重ね合わされ、タッピングスクリューのような止ねじ７が機構躯体６の外側から筐体取付部８を経由してタンク構造体２の機構取付部９に締結される。これによって、払出機構３およびタンク構造体２が互いに一体となるように組み立てられ、球払出装置１が図２に示す形状に構成される。図１に戻り、組み立てられた球払出装置１では、タンク構造体２の球貯蔵部１０の供給口１１から下方に突出した払出収容部１２に配置された払出構造体４が、球貯蔵部１０から供給口１１に向けて移動する球から受ける球圧の方向と払出構造体４により球を球出口に向けて移動する方向とが同じ方向となるように、払出モータ１３で一方向に駆動されるので、払出構造体４が円滑に回転し、球詰まりを発生しにくく、球貯蔵部１０から球を円滑に払い出すことができるという利点がある。球が払い出される過程において、球払出装置１の内部に球詰まりが発生した場合、作業者が止ねじ７を球払出装置１から取り外した後、作業者が上記払出構造体４および払出球検出器５のタンク構造体２への挿入方向と逆方向に払出機構３を引き出すことによって、払出機構３がタンク構造体２から取り外されるので、詰まった球を球払出装置１の内部から除去する保守作業が容易であるという利点がある。払出機構３については、図３乃至図６で詳述する。
【０００８】
図１において、タンク構造体２は、球貯蔵部１０および基板収容部１５を備える。球貯蔵部１０および基板収容部１５の配置は、球貯蔵部１０が後側で、基板収容部１５が前側である。球貯蔵部１０は、遊技機設置構造体の補給機構から排出されたパチンコ球と呼ばれる球を貯蔵する部屋であって、上方に開口した箱形の部屋として構成される。球貯蔵部１０の底壁には、供給口１１、払出収容部１２、庇１６が設けられる。球貯蔵部１０の底壁における球と接触する底面は、球が球貯蔵部１０の周囲から供給口１１に向けて流れる斜面を形成する。供給口１１は、右側で前後方向の中央部に位置し、上下方向に貫通、左右方向に長い方形に形成される。払出収容部１２は、供給口１１から下方に窪む空間を形成する。庇１６は、供給口１１の右側部を塞ぎ、球貯蔵部１０に貯蔵された球が払出構造体４に取り込まれて右側部に到達した球と干渉しないように、球貯蔵部１０から供給口１１への球の流入を阻止する。払出収容部１２の左側壁には、払出軸受孔１７が設けられる。払出収容部１２の底部には、払出逃避孔１８および異物排出孔１９が設けられる。
【０００９】
タンク構造体２の右壁には、機構取付部９、上開口２１、下開口２２が設けられる。機構取付部９は、タンク構造体２の右壁の四隅から右側に突出した筒状として構成される。上開口２１は、払出収容部１２の右壁に対応する部分の全体を除去した形態であって、払出構造体４が挿入されることによって、払出構造体４の前後に球を１個ずつ払出機構３に供給する導出口を形成する。下開口２２は、払出球検出器５を取り込むように、左右方向への貫通孔として構成される。球貯蔵部１０および基板収容部１５の間における隔壁２３には、補給検出機構２４および球切れ検出機構２５が装着される。補給検出機構２４は、球貯蔵部１０に貯蔵された球の個数が少ないことを検出して補給信号を出力する。補給信号が遊技店の店営業を管理するホールコンピュータに出力されることによって、ホールコンピュータが遊技機設置構造体の補給機構を駆動し、補給機構が球を球貯蔵部１０に補給する。球切れ検出機構２５は、球貯蔵部１０に貯蔵された球の個数が補給検出機構２４で検出する数量よりも少ないことを検出して球切れ信号を出力する。球切れ信号が遊技店の店営業を管理するホールコンピュータに出力されることによって、ホールコンピュータが補給機構から球貯蔵部１０への球の補給の行われない異常を遊技店の店員に知らせる報知処理を行う。
【００１０】
基板収容部１５は、上方に開口した箱形の部屋として構成される。基板収容部１５の底壁には、中継基板２６が、上方からタッピングスクリューのような図外の止ねじで取り付けられる。中継基板２６は、球払出装置１に関係する電気部品の全ての配線を集中的に接続するものであって、プリント配線板のような回路基板の上面に、コネクタ２７を複数実装した構造である。コネクタ２７は、中継基板２６に付設されたプリント配線のような薄状の配線で、電気回路を構成するように相互に接続される。
【００１１】
図２を参照し、払出機構３に取り付けられる中継樋３１について説明する。中継樋３１は、賞球通路３２、抜球通路３３、差込部３４、係合部３５、連結体３６を備え、払出機構３の下部に連結される。払出機構３が、球貯蔵部１０に貯蔵された球を、賞球として払い出す機能および抜球として排出する機能を備えたことから、中継樋３１が賞球通路３２および抜球通路３３を備えたが、払出機構３が球を、賞球として払い出す機能だけを備える場合は、中継樋３１が賞球通路３２を備えるだけである。中継樋３１の払出機構３への組立方について説明する。中継樋３１の賞球通路３２が機構躯体６の右壁の方向に向けられ、中継樋３１の差込部３４が機構躯体６の右側から樋取付部５５に挿入され、中継樋３１が右側から左側に動かされると、中継樋３１の係合部３５が機構躯体６の下後係合部５３に下方から嵌め込まれる。これによって、中継樋３１が機構躯体６に取り付けられ、賞球通路３２および抜球通路３３が切替収容部５４の下方に配置される。
【００１２】
図３を参照し、払出機構３における払出構造体４、機構躯体６、払出モータ１３、中継基板４１の構造について説明する。機構躯体６は、左側が開口した箱形である。機構躯体６の開口を囲む周壁には、筐体取付部８およびねじ逃避部４４が設けられる。機構躯体６の周壁は、上壁、下壁、前壁、後壁から構成される。機構躯体６における上壁と下壁とが互いに繋がる部分、上壁と前壁とが互いに繋がる部分、前壁の上下方向の中間部、後壁の上下方向の中間部など、合計４箇所には、筐体取付部８が配置される。ねじ逃避部４４は、筐体取付部８と対応する周壁から内部に突出する窪みを形成する。筐体取付部８には、位置決め部４５およびねじ挿入孔４６が設けられる。位置決め部４５は、筐体取付部８の左面から右側に向かう内部に窪む凹部として構成される。ねじ挿入孔４６は、位置決め部４５に貫通し、左右方向への貫通孔として、筐体取付部８の右壁に構成される。機構躯体６の開口と対向する右壁には、モータ収容部４７、モータ取付部４８、基板取付部４９が設けられる。モータ収容部４７は、機構躯体６の右壁の左面から右側に突出するように窪み、左側に開口した箱形である。モータ取付部４８は、一対であって、モータ収容部４７前上部および下後部に配置され、機構躯体６の右壁に設けられる。基板取付部４９は、モータ取付部４８よりも外側の４箇所に配置され、機構躯体６の右壁から左側に突出した筒状として構成される。
【００１３】
機構躯体６の前壁には、配線孔５０が設けられる。配線孔５０は、前壁の左面から右側に向かう内部に窪み、左側および前後方向に開口する溝として構成される。機構躯体６の上壁には、上係合部５１が、前後に分かれて設けられる。上係合部５１は、上下方向への貫通孔として構成される。機構躯体６の下壁には、下前係合部５２、下後係合部５３、切替収容部５４、樋取付部５５が設けられる。下前係合部５２は、前後に分かれ、上下方向への貫通孔として構成される。下後係合部５３は、前後方向の中央に位置し、上下方向への貫通孔として構成される。切替収容部５４は、下前係合部５２の間に配置され、下壁の左面から右側に向かう内部に窪み、左側および上下方向に開口する溝として構成される。樋取付部５５は、切替収容部５４の前後に配置される。切替収容部５４の前側に配置される樋取付部５５は、機構躯体６の下壁と当該下壁から下方に突出する縦壁と当該縦壁から後側に突出する横壁とからなる溝として構成される。切替収容部５４の後側に配置される樋取付部５５は、機構躯体６の下壁と当該下壁から下方に突出する縦壁と当該縦壁から前側に突出する横壁とからなる溝として構成される。
【００１４】
払出モータ１３は、取付足５７およびモータ配線５８を備える。取付足５７は、払出モータ１３のモータケースから外側に突出して設けられる。取付足５７には、ねじ挿入孔５９が、左右方向への貫通孔として設けられる。モータ配線５８は、払出モータ１３のモータケースから外側に引き出された被覆電線により構成される。モータ配線５８には、コネクタ６０が結線される。払出モータ１３のモータ軸のような駆動軸６１には、軸継手６２が圧入によって固定される。軸継手６２は、丸棒の外周面の一部を平坦面に形成した、異形である。そして、軸継手６２が左側に向けられ、払出モータ１３のモータケースが機構躯体６の開口からモータ収容部４７に格納され、タッピングスクリューのような止ねじ６３がねじ挿入孔５９からモータ取付部４８の内部に締結されることによって、払出モータ１３が機構躯体６の内部に取り付けられる。中継基板４１は、プリント配線板のような回路基板により構成される。中継基板４１の左面には、コネクタ６５；６６；６７、抵抗やコンデンサなどの図外の電気部品、位置検出器６８、抜球検出器６９が実装される。コネクタ６５乃至６７、電気部品、位置検出器６８、抜球検出器６９は、中継基板４１の右面に付設されたプリント配線のような薄状の配線で、電気回路を構成するように接続される。中継基板４１には、ねじ挿入孔７０、軸逃避孔７１が設けられる。ねじ挿入孔７０は、基板取付部４９と対応し、左右方向への貫通孔として構成される。軸逃避孔７１は、左右方向への貫通孔として構成される。
【００１５】
そして、払出モータ１３が機構躯体６に取り付けられ後、中継基板４１が機構躯体６に取り付けられる。それには、コネクタ６５乃至６７、位置検出器６８、抜球検出器６９が左側に向けられ、中継基板４１が機構躯体６の内部に挿入され、軸継手６２が軸逃避孔７１を右側から左側に貫通し、タッピングスクリューのような止ねじ７２が機構躯体６の開口からねじ挿入孔７０を経由して基板取付部４９の内部に締結される。これによって、中継基板４１が払出モータ１３を左側から被覆し機構躯体６の右壁に取り付けられ、中継基板４１が機構躯体６の内部に取り付けられる。この場合、モータ配線５８のコネクタ６０は、機構躯体６の右壁と中継基板４１との間から中継基板４１の左側に引き出されてコネクタ６５に機械的に嵌め込まれて通電可能に接続される。これによって、モータ配線５８がコネクタ６５に接続される。コネクタ６７には、外部配線７３が接続される。外部配線７３は、被覆電線により構成される。外部配線７３には、コネクタ７４；７５が結線される。コネクタ７４が、コネクタ６７に機械的に嵌め込まれて通電可能に接続される。これによって、外部配線７３がコネクタ６７に接続される。外部配線７３の中間部が配線孔５０を通って機構躯体６の外側に引き出され、コネクタ７５が機構躯体６よりも前側に配置される（図６参照）。
【００１６】
払出構造体４は、払出軸７７、螺旋体７８、被検出体７９、被検出部８０、突起８１、軸部８２、連結部８３を備える。払出軸７７は、左右方向に延びる直線的な丸棒により構成される。螺旋体７８は、被検出体７９よりも左側に位置する払出軸７７に設けられ、払出軸７７の左右方向に延びる軸心と平行な方向に球を１個ずつ分離する間隔で、払出軸７７の外周面から径方向外側に螺旋形状に突出する。被検出体７９は、払出軸７７の右端部に設けられ、払出軸７７の外周面から径方向外側に突出した円盤の外周縁から前側に突出し、払出軸７７を中心とした円形な壁として構成される。被検出部８０は、被検出体７９に設けられる。被検出部８０は、被検出体７９の直径線上に位置して相対峙する一対であって、被検出体７９の右面から左側に向かう内部に窪み、右側と内側および外側に開口する溝として構成される。突起８１は、被検出部８０における円盤の左面から左側に突出し、払出軸７７を中心とした円盤として構成される。軸部８２は、払出軸７７の左端部に同軸に突出し、払出軸７７より細い短円柱である。連結部８３は、払出軸７７の右端部に設けられ、払出軸７７の右端面から左側の内部に窪み、軸継手６２を嵌め込む、異形孔により構成される。そして、払出モータ１３および中継基板４１が機構躯体６に取り付けられた後、払出構造体４が払出モータ１３に取り付けられる。それには、払出軸７７の右端部が機構躯体６の開口から内部に挿入され、連結部８３が中継基板４１よりも左側に突出した軸継手６２に嵌め込まれることによって、払出構造体４が駆動軸６１と一緒に回転するように払出モータ１３に連結される。このように、払出構造体４が払出モータ１３の駆動軸６１に連結されるのに伴い、被検出体７９が位置検出器６８に接触しないように位置検出器６８の凹部に取り込まれる。
【００１７】
位置検出器６８が電力供給を受け、検出光が凹部の一側を形成する発光部から凹部の他側を形成する受光部に向けて照射された状態において、被検出体７９が払出モータ１３の駆動軸６１と一体となって回転すると、被検出体７９で遮られていた位置検出器６８の検出光が被検出体７９の２分の１回転ごとに被検出部８０を通過して受光部で受光される。これによって、位置検出器６８が払出構造体４の回転位置を払出構造体４の２分の１回転ごとに１回検出して回転位置信号を出力する。払出構造体４、中継基板４１が機構躯体６に取り付けられた構造は、図６参照。
【００１８】
図４を参照し、払出機構３における切替機構８５の右側の構造について説明する。切替機構８５は、構造基盤８６、切替駆動源８７、切替弁８８、リンクプレート８９を備える。構造基盤８６は、機構躯体６の内部に収納可能な大きさの方形な板状であって、払出挿入孔９０、弁挿入孔９１、駆動収容部９２、ねじ挿入孔９３、支持軸受部９４、支持固定部９５、ねじ結合孔９６、取付逃避部９７、上係合部９８、下係合部９９、感知取付部１００、抜球感知体１０１を備える。払出挿入孔９０は、構造基盤８６の上下方向の中央部に、左右方向への貫通孔として構成される。弁挿入孔９１は、払出挿入孔９０の下半分を囲むように払出挿入孔９０と仕切られて、左右方向への貫通孔として構成される。駆動収容部９２は、切替駆動源８７を収容する部屋であって、右側に開口した箱形の部屋として構成される。ねじ挿入孔９３は、駆動収容部９２の左側壁に、左右方向への貫通孔として設けられる。支持軸受部９４は、支持構造体１１９の支持軸１２０が下側から挿入されることによって、支持軸１２０を回転可能に支持するものであって、駆動収容部９２よりも前後方向に分かれた位置において、構造基盤８６から右側に突出する。支持固定部９５は、支持構造体１１９を固定するものであって、弁挿入孔９１の下縁部における前後方向の中央から上方に突出する。ねじ結合孔９６は、支持固定部９５の上部に、左右方向への貫通孔として設けられる。取付逃避部９７は、筐体取付部８と嵌合する部分である。
【００１９】
上係合部９８は、前後の溝で構造基盤８６の上壁に片持ちとして分離して形成された弾性体の右端部にフックを備える。下係合部９９は、構造基盤８６の下部から下方に突出した凸部として構成される。感知取付部１００は、抜球感知体１０１の上部を回転可能に支持するものであって、弁挿入孔９１よりも前後方向に分かれた位置において、構造基盤８６から右側に突出する。抜球感知体１０１は、弁挿入孔９１の下部において、感知取付部１００に左右方向に回転可能に取り付けられる。そして、ばね線材からなる二股状の弾性体１６５（図７のａ図参照）の一端部が抜球感知体１０１に係合され、弾性体１６５の他端部が切替機構８５に係合される。これによって、弾性体１６５が抜球感知体１０１を切替機構８５の側に弾性的に押し動かし、抜球感知体１０１における一対の感知腕部１０２の左端部が切替機構８５を右側から左側に貫通し、抜球感知体１０１の下部が切替機構８５の右面に衝突する。被検出部１０３は、抜球感知体１０１の前後方向の中央部から右側に突出した突起として構成される。
【００２０】
切替駆動源８７は、電磁ソレノイドにより構成される。つまり、切替駆動源８７では、励磁コイル１０５の巻き付けられたボビンが角筒状のヨーク１０６の内部に格納されて固定され、駆動棒１０７がヨーク１０６およびボビンに上下方向に移動可能に挿入され、コイルスプリングのような弾性体１６６（図７のａ図参照）が駆動棒１０７のヨーク１０６よりも下部に突出した部分に装着され、止輪のような固定具１６７（図７のａ図参照）が駆動棒１０７の弾性体よりも下部に突出した部分に装着される。そして、励磁コイル１０５から延長された駆動配線１０８から励磁コイル１０５に電力が供給され、励磁コイル１０５が磁力を発生すると、駆動棒１０７が磁力で上方に吸引されて弾性体１６６を圧縮する。励磁コイル１０５に供給された電力が遮断され、励磁コイル１０５が消磁すると、弾性体１６６が伸長し、駆動棒１０７が下方に突出する。駆動配線１０８は、被覆電線により構成される。駆動配線１０８には、コネクタ１０９が結線される。
【００２１】
ヨーク１０６の左側壁には、図外の取付孔が設けられる。駆動棒１０７の上記止輪よりも下部には、リンクプレート８９の中央部が、プレート軸１１１で左右方向に回転可能に取り付けられる。リンクプレート８９は、一対のリンクアーム１１２を備える。リンクアーム１１２の一方は、リンクプレート８９の中央部から前側下方に弧状に突出する。リンクアーム１１２の他方は、リンクプレート８９の中央部から後側下方に弧状に突出する。リンクアーム１１２の下端部には、連結部１１３が左右方向への貫通孔として個別に設けられる。切替弁８８は、一対であって、弁体１１５、弁軸１１６、レバー１１７を備える。弁体１１５は、方形な板状である。弁軸１１６は、弁体１１５の下部に、弁体１１５から左側および右側に突出して設けられる。レバー１１７は、弁軸１１６の径方向外側に位置し、弁体１１５から右側に突出するように、弁体１１５の下部に設けられる。
【００２２】
支持構造体１１９は、切替弁８８とリンクプレート８９との連結形態を維持するものであって、支持軸１２０、払出逃避部１２１、弁軸受部１２２、ねじ挿入孔１２３を備える。支持軸１２０は、支持構造体１１９の上部に設けられる。払出逃避部１２１は、払出構造体４を逃げる部分であって、支持構造体１１９の中央部に、左右方向への貫通孔として設けられる。弁軸受部１２２は、切替弁８８の右側に突出した弁軸１１６を支持する部分であって、払出逃避部１２１よりも前後方向に位置し、一対設けられる。ねじ挿入孔１２３は、払出逃避部１２１よりも下部に位置し、左右方向への貫通孔として設けられる。
【００２３】
切替駆動源８７と切替弁８８および支持構造体１１９の切替機構８５への組立方について説明する。切替弁８８が切替機構８５の右側から弁挿入孔９１を経由して切替機構８５の左側に配置される。この場合、切替弁８８の左側に突出した弁軸１１６が弁軸受部１３８（図６参照）に嵌め込まれる。また、切替駆動源８７が切替機構８５の右側から駆動収容部９２に挿入され、タッピングスクリューのような止ねじ１２５が切替機構８５の左側からねじ挿入孔９３を経由してヨーク１０６に設けられた図外の取付孔に締結されることによって、切替駆動源８７が切替機構８５に取り付けられる。リンクプレート８９が切替機構８５の右側に配置され、リンクプレート８９の連結部１１３が切替弁８８のレバー１１７に連結される。次に、支持構造体１１９の支持軸１２０が切替機構８５の右側から支持軸受部９４に回転可能に装着される。支持軸１２０が支持軸受部９４に装着された形態は、図５のａ図参照。その後、支持構造体１１９が支持軸１２０を中心として図５のｂ図に矢印Ｘ１で示すように切替機構８５の側に回転されるのに伴い、切替弁８８の右側に突出した弁軸１１６が弁軸受部１２２に嵌め込まれ、払出挿入孔９０と払出逃避部１２１とが同軸状となる。最後に、図４に示すタッピングスクリューのような止ねじ１２６が支持構造体１１９の右側からねじ挿入孔１２３を経由して支持固定部９５のねじ結合孔９６に締結される。これによって、支持構造体１１９がリンクプレート８９を右側から覆い隠し、切替弁８８とリンクプレート８９との連結形態が支持構造体１１９で維持される。
【００２４】
図６を参照し、切替機構８５の左側の構造について説明する。切替機構８５は、構造基盤８６に、賞球通路１２８、抜球通路１２９、前縦壁１３０、隔壁１３１；１３２；１３３；１３４、後縦壁１３５、検出収容部１３６、検出係合部１３７、弁軸受部１３８を備える。賞球通路１２８は、払出挿入孔９０よりも下部に、前後に分かれて設けられる。抜球通路１２９は、賞球通路１２８よりも前側と後側とに分かれて設けられる。構造基盤８６および隔壁１３１；１３２；１３３が、前側に位置する賞球通路１２８を、上下方向および左側に開口し、球を１個ずつ下方に誘導可能な形状に形成する。構造基盤８６および隔壁１３１；１３３；１３４が、後側に位置する賞球通路１２８を、上下方向および左側に開口し、球を１個ずつ下方に誘導可能な形状に形成する。構造基盤８６と前縦壁１３０および隔壁１３２が、前側に位置する抜球通路１２９を、上下方向および左側に開口し、球を１個ずつ下方に誘導可能な形状に形成する。構造基盤８６と隔壁１３４および後縦壁１３５が、後側に位置する抜球通路１２９を、上下方向および左側に開口し、球を１個ずつ下方に誘導可能な形状に形成する。
【００２５】
検出収容部１３６は、賞球通路１２８を遮らないように、隔壁１３２；１３３；１３４に跨り、隔壁１３２；１３３；１３４から左側に突出し、構造基盤８６の左側に払出球検出器５を格納して装着する部屋として構成される。検出係合部１３７は、前後の溝で検出収容部１３６の上壁に片持ちとして分離して形成された弾性体の左端部にフックを備える。弁軸受部１３８は、切替弁８８の左側に突出した弁軸１１６を回転可能に支持するものであって、検出収容部１３６における上壁の前後部から上方に突出する。払出球検出器５は、中検出素子部１４１、前検出素子部１４２、後検出素子部１４３、コネクタ１４４を備える。中検出素子部１４１は、前後方向中央に位置する。前検出素子部１４２は、中検出素子部１４１から前側に離れる。中検出素子部１４１と前検出素子部１４２との間の隙間には、球が１個ずつ下方に通過する。後検出素子部１４３は、中検出素子部１４１から後側に離れる。中検出素子部１４１と後検出素子部１４３との間の隙間には、球が１個ずつ下方に通過する。払出球検出器５には、検出配線１４６が接続される。検出配線１４６は、被覆電線により構成される。検出配線１４６の両端部には、コネクタ１４７；１４８が結線される。コネクタ１４７がコネクタ１４４に機械的に嵌め込まれかつ通電可能に接続される。これによって、検出配線１４６が払出球検出器５に接続される。
【００２６】
そして、中検出素子部１４１と前検出素子部１４２および後検出素子部１４３が構造基盤８６の左側から検出収容部１３６に挿入され、検出係合部１３７のフックが払出球検出器５の左面と対向し、検出係合部１３７が払出球検出器５に係合することによって、払出球検出器５が検出収容部１３６に取り付けられる。このように、払出球検出器５が構造基盤８６に取り付けられ、払出球検出器５が電力供給を受け、例えば、検出光が中検出素子部１４１から前検出素子部１４２；１４３に向けて個別に照射され、前検出素子部１４２；１４３が検出光を受光している状態において、検出光が中検出素子部１４１と前検出素子部１４２との間における前側の賞球通路１２８を通過する球で遮断されることによって、前検出素子部１４２が払出球検出信号を出力し、検出光が中検出素子部１４１と後検出素子部１４３との間における後側の賞球通路１２８を通過する球で遮断されることによって、後検出素子部１４３が払出球検出信号を出力する。
【００２７】
切替機構８５を、機構躯体６に取り付ける組立方について説明する。駆動配線１０８が機構躯体６の側に向けられ、コネクタ１０９が中継基板４１のコネクタ６６に機械的に嵌め込まれかつ通電可能に接続された後、切替機構８５が機構躯体６の開口から内部に収容されるのに伴い、払出構造体４の軸部８２および螺旋体７８が構造基盤８６の右側から払出挿入孔９０を通過して構造基盤８６の左側に突出し、機構取付部８と取付逃避部９７とが互いに嵌り合い、上係合部５１と上係合部９８とが互いに嵌り合い、下前係合部５２と下係合部９９とが互いに嵌り合うことによって、切替機構８５が機構躯体６の開口を塞ぎ、機構躯体６と切替機構８５とが互いに組み立てられる。このように機構躯体６と切替機構８５とが互いに組み立てられる過程において、図４の被検出部１０３が抜球検出器６９の凹部から左側に離れて凹部と対応する。機構躯体６と切替機構８５とが互いに組み立てられた形態は、図１参照。
【００２８】
図７を参照し、切替機構８５の動作について説明する。図７のａ図において、図外の制御装置が切替駆動源８７への電力供給を遮断し、駆動棒１０７が弾性体１６６のばね力で押し下げられてリンクプレート８９を下降させる。これによって、切替弁８８が、弁軸１１６より真上に垂直状に突出して相対峙し、払出構造体４の払出軸７７から前後方向に離れ、かつ、払出軸７７と平行している。その状態において、制御装置から切替駆動源８７に電力が供給されると、駆動棒１０７が弾性体１６６のばね力に抗して上昇してリンクプレート８９を持ち上げる。これによって、切替弁８８が弁軸１１６を中心として図７のｂ図に実線で示す位置から仮想線で示す位置へと内側に回転する。つまり、切替弁８８が、図７のｂ図に実線で示すように弁軸１１６より真上に垂直状に突出して相対峙した場合、賞球通路１２８を開き、抜球通路１２９を閉じる。切替弁８８が、図７のｂ図に仮想線で示すように弁軸１１６を中心として内側に回転して互いに近づいた場合、賞球通路１２８を閉じ抜球通路１２９を開く。
【００２９】
図８を参照し、球Ｐ２が球貯蔵部１０の払出収容部１２から賞球通路１２８または抜球通路１２９に排出される動作について説明する。図外の制御装置が切替駆動源８７への電力供給を遮断し、切替弁８８が図７のｂ図に実線で示すように垂直状に相対峙した状態において、制御装置が賞球払出処理によって払出モータ１３を一方向に駆動し、払出モータ１３が払出構造体４を払出軸７７の周方向に回転する。これによって、螺旋体７８の隙間に取り込まれた球Ｐ１が、払出構造体４の一方向への駆動に伴い払出収容部１２から払出機構３の方に移動されて球Ｐ２となる。球Ｐ２は、螺旋体７８から外れて自重で落下する。この落下する球Ｐ２は、図７のｂ図及び図８に矢印Ｘ２で示すように、垂直状に相対峙した切替弁８８によって、抜球通路１２９の方向に行かないように遮られ、賞球通路１２８に案内され、賞球通路１２８から下方に払い出される。賞球通路１２８を落下する球Ｐ２は、払出球検出器５で検出される。払出球検出器５は、球Ｐ２を検出するごとに、払出検出信号を制御装置に出力する。制御装置は、払出検出信号をカウントアップまたはカウントダウンすることによって、球払出装置１から賞球として払い出される球の個数を管理し、払出モータ１３を停止する。カウントアップの場合、カウントアップした値が払出モータ１３を一方向に駆動するきっかけとなった賞球払出数に一致すると、制御装置が払出モータ１３を停止する。カウントダウンの場合、払出モータ１３を一方向に駆動するきっかけとなった賞球払出数を払出検出信号の入力ごとに減算し、賞球払出数がゼロになると、制御装置が払出モータ１３を停止する。
【００３０】
球Ｐ２が球貯蔵部１０の払出収容部１２から抜球通路１２９に払い出される動作について説明する。制御装置が切替駆動源８７に電力を供給し、切替弁８８が図７のｂ図に仮想線で示すように弁軸１１６を内側に回転して互いに近づいた配置となる。その状態において、制御装置が抜球払出処理によって払出モータ１３を一方向に駆動し、払出モータ１３が払出構造体４を払出軸７７の周方向に回転する。これによって、螺旋体７８の隙間に取り込まれた球Ｐ１が、払出構造体４の一方向への駆動に伴い払出収容部１２から払出機構３の方に移動されて球Ｐ２となる。球Ｐ２は、螺旋体７８から外れて自重で下方に落下する。この落下する球Ｐ２は、図７のｂ図及び図８に矢印Ｘ３で示すように、切替弁８８によって、賞球通路１２８の方向に行かないように遮られ、切替弁８８の上を転がって抜球通路１２９に案内され、抜球通路１２９から下方に払い出される。抜球通路１２９を落下する球Ｐ２は、抜球感知体１０１の感知腕部１０２を中継基板４１の方向に押す。これによって、抜球感知体１０１の下部が、感知取付部１００を中心として抜球検出器６９の方向に回転し、被検出部１０３が抜球検出器６９で検出される。抜球検出器６９は、被検出部１０３を検出するごとに、球抜き検出信号を制御装置に出力する。制御装置は、球抜き検出信号の入力される時間の間隔によって、球払出装置１から抜球として払い出される球がタンク構造体２に存在するか否かを管理し、払出モータ１３を停止する。抜球として払い出される球がタンク構造体２に存在する場合、払出モータ１３の回転数が一定であれば、球抜き検出信号の入力される時間の間隔は、螺旋体７８における払出軸７７の軸心と平行な方向の間隔（ピッチ）によって一定となる。そして、抜球として払い出される球がタンク構造体２に不在になると、球抜き検出信号の入力される時間の間隔が上記一定の時間の間隔以上となる。よって、球抜き検出信号の入力される時間の間隔が一定の時間の間隔以上となると、制御装置が払出モータ１３を停止する。
【００３１】
図９のａ図を参照し、球払出装置１を備えたパチンコ遊技機について説明する。パチンコ遊技機の遊技機枠１７３は、固定枠１７４の前側に可動枠１７５を開閉可能に備える。固定枠１７４は、遊技店の島と呼ばれる遊技機設置構造体に取り付けられる外枠とも呼ばれる。可動枠１７５は、遊技盤や制御装置など遊技に必要な部品を取り付ける前枠とも呼ばれる。可動枠１７５は、左側に位置するヒンジ１７６を中心とし、固定枠１７４の前側で前側に開かれかつ後側に閉じられるように、片開き可能である。可動枠１７５には、開口部１７７が、前後方向の貫通孔として設けられる。開口部１７７は、遊技盤の裏面に取り付けられた球案内構造体や制御装置などの裏側部品を可動枠１７５の前側から裏側に貫通させるか、または、遊技盤の前面に取り付けられたガイドレールや入賞部品などの前側部品を可動枠１７５の裏側から前側に貫通させるためのものである。
【００３２】
球払出装置１では、タンク構造体２が、開口部１７７の上部に位置するように、可動枠１７５の裏面に、ねじのような固着具で、可動枠１７５の裏側から取り付けられる。タンク構造体２が可動枠１７５の裏面に取り付けられる場合、図１の基板収容部１５の前壁が、図９のａ図の可動枠１７５の裏面の側に配置される。中継樋３１の下部には、案内樋１７８が接続される。案内樋１７８は、開口部１７７の右側に位置するように、可動枠１７５の裏面に、ねじのような固着具で、可動枠１７５の裏側から取り付けられ、賞球通路１７９および抜球通路１８０を備える。賞球通路１７９は、中継樋３１の賞球通路３２に繋がる。賞球通路１７９から排出される球は、受樋１８１で受け止められる。受樋１８１は、開口部１７７の下部に位置するように、可動枠１７５の裏面に、ねじのような固着具で、可動枠１７５の裏側から取り付けられる。受樋１８１で受け止められた球は、受樋１８１から図外の皿構造体の受皿部に排出される。皿構造体は、可動枠１７５の前面に取り付けられる。皿構造体の受皿部は、遊技者が遊技に使用する球を入れる部分である。そして、球が受皿部に存在する状態において、遊技者が皿構造体の前面に設けられた発射操作機構を操作すると、皿構造体の裏側に位置するように、可動枠１７５の前面に取り付けられた発射機構が受皿部から供給された球を１個ずつ遊技盤のガイドレールで囲まれた内側の遊技領域に向けて発射する。抜球通路１８０は、中継樋３１の抜球通路１２９に繋がる。抜球通路１８０から排出される球は、可動枠１７５の裏側から遊技機設置構造体の回収機構に排出される。回収機構に排出された球は、遊技機設置構造体の補給機構に戻される。
【００３３】
最良の形態によれば、図３において、払出モータ１３、払出構造体４、中継基板４１、被検出体７９が機構躯体６に組み込まれる。次に、図６において、切替機構８５が機構躯体６に組み込まれる。この場合、図３におけるモータ配線５８のコネクタ６０が中継基板４１のコネクタ６５に嵌め込まれて接続される。図６における駆動配線１０８のコネクタ１０９が中継基板４１のコネクタ６６に嵌め込まれて接続される。よって、払出機構３の電気部品が中継基板４１に集合されて配線される。図６において、切換機構８５が機構躯体６に組み込まれる。よって、切換機構８５が上記中継基板４１、払出モータ１３を覆い隠し、図８に示すように、払出構造体４や払出球検出器５が切替機構８５から外側に突出し、外部配線７３が図６に示すように機構躯体６から外側に突出する。そして、図６における外部配線７３のコネクタ７５が図１における中継基板２６の１つのコネクタ２７に嵌め込まれて接続される。したがって、図１において、払出機構３がタンク構造体２に止ねじ７で固定され、コネクタ７５が１つのコネクタ２７に接続されることによって、球払出装置１が球貯蔵部１０から球を賞球または抜球として払い出すことが可能な構造となる。上記止ねじ７によるタンク構造体２と払出機構３との固定が解除されることによって、払出機構３がタンク構造体２から取り外されるので、払出機構３の内部から球や混入した異物を除去する保守作業をする場合、払出機構３をタンク構造体２から取り外したり、払出機構３をタンク構造体２に取り付けたりする作業が簡単であるという利点がある。払出機構３をタンク構造体２から取り外す場合、コネクタ７５と１つのコネクタ２７との接続を解除してもよい。
【００３４】
図８に示すように、払出機構３がタンク構造体２に固定された場合、払出構造体４の螺旋体７８が、払出機構３の賞球通路１２８や抜球通路１２９からタンク構造体２の方向に配置されている。したがって、螺旋体７８によって払出収容部１２から払出機構３の内部に運搬された球は、螺旋体７８から離れて自重で落下するので、その部分で、球詰まりが発生することも阻止することができるという利点がある。切替弁８８は、図７のｂ図に実線及び仮想線で示すように、弁軸１１６を中心として払出軸７７の軸心と直交する方向に往復回転運動することによって、払出構造体４によってタンク構造体２から払出機構３に運搬された球を賞球通路１２８または抜球通路１２９に誘導するように通路を切り替える。したがって、電磁ソレノイドのような切替駆動源８７で切替弁８８を動かすためのリンク機構が、簡単な構造でよいという利点がある。
【産業上の利用可能性】
【００３５】
図９のｂ図に示すように、球払出装置１が球を開口部１７７の上部から左側を経由して下方に排出するようにしてもよい。この場合、払出機構３や中継樋３１がタンク構造体２の左側に設けられるように、タンク構造体２における球貯蔵部１０の後壁が開口部１７７の上部に位置して可動枠１７５の裏面に取り付けられ、案内樋１７８および受樋１８１が開口部１７７の左側に位置して可動枠１７５の裏面に取り付けられる。
【図面の簡単な説明】
【００３６】
【図１】タンク構造体と払出機構との分解斜視図（最良の形態）。
【図２】中継樋の分解された球払出装置の斜視図（最良の形態）。
【図３】払出構造体、機構躯体、払出モータ、中継基板の分解斜視図（最良の形態）。
【図４】切替構造体の分解斜視図（最良の形態）。
【図５】ａ図は切替構造体の右側斜視図、ｂ図は切替構造体の縦断面図（最良の形態）。
【図６】切替構造体の左側分解斜視図（最良の形態）。
【図７】ａ図は切替構造体の右側面図、ｂ図は切替構造体の左側面図（最良の形態）。
【図８】球が払い出される過程の縦断面図（最良の形態）。
【図９】ａ図は最良の形態の球払出装置を備えたパチンコ遊技機の裏面図、ｂ図は異なる形態の球払出装置を備えたパチンコ遊技機の裏面図。
【符号の説明】
【００３７】
１      球払出装置
２      タンク構造体
３      払出機構
４      払出構造体
５      払出球検出器
６      機構躯体
１３    払出モータ
４１    中継基板
８８    切替弁
９４    切替構造体
１２８  賞球通路
１２９  抜球通路
【図１】
2007175316.tif 000003
【図２】
2007175316.tif 000004
【図３】
2007175316.tif 000005
【図４】
2007175316.tif 000006
【図５】
2007175316.tif 000007
【図６】
2007175316.tif 000008
【図７】
2007175316.tif 000009
【図８】
2007175316.tif 000010
【図９】
2007175316.tif 000011